(57)【特許請求の範囲】
【請求項１】
機体の外郭をなす外枠と、遊技盤の搭載枠をなすとともに前記外枠に組付けられる中枠と、遊技盤の透視窓を構成する窓口が形成されるとともに前記中枠に組付けられる前枠とを備え、前記前枠に、賞球払出し状態を報知するための賞球報知手段と、貸し球払出し状態を報知するための球貸し報知手段と、大当たり等の特定遊技状態の発生を報知するための特定遊技状態報知手段とを備えてなるパチンコ遊技機において、
前記特定遊技状態報知手段は、前記前枠の前記窓口の周囲であって前記前枠の上部左側に配置された第１電飾表示部と、前記前枠の前記窓口の周囲であって前記前枠の上部右側に配置された第２電飾表示部とを備え、前記第１電飾表示部及び第２電飾表示部は、同一の第１レンズ部材により覆われており、
前記賞球報知手段は、前記第１電飾表示部及び第２電飾表示部よりも上側であって前記前枠の左右方向中央に配置され、前記第１レンズ部材とは異なる第２レンズ部材により覆われており、
前記球貸し報知手段は、前記前枠の前記窓口の周囲における前記特定遊技状態報知手段の下側であって、遊技球を貸し出すための球貸しユニットが並設されている側の側方に配置されており、
前記第１レンズ部材は、前記第１電飾表示部及び第２電飾表示部と対応する部位において前方への膨出部を有する２連山形状に形成され、前記第１レンズ部材の膨出部は、前記第２レンズ部材よりも前面側へ膨出していることを特徴とするパチンコ遊技機。
【請求項２】
機体の外郭をなす外枠と、遊技盤の搭載枠をなすとともに前記外枠に組付けられる中枠と、遊技盤の透視窓を構成する窓口が形成されるとともに前記中枠に組付けられる前枠とを備え、前記前枠に、賞球払出し状態を報知するための賞球報知手段と、貸し球払出し状態を報知するための球貸し報知手段と、大当たり等の特定遊技状態の発生を報知するための特定遊技状態報知手段とを備えてなるパチンコ遊技機において、
前記特定遊技状態報知手段は、前記前枠の前記窓口の周囲であって前記前枠の上部左側に配置された第１電飾表示部と、前記前枠の前記窓口の周囲であって前記前枠の上部右側に配置された第２電飾表示部とを備え、前記第１電飾表示部及び第２電飾表示部は、同一の第１レンズ部材により覆われており、
前記賞球報知手段は、前記第１電飾表示部及び第２電飾表示部よりも上側であって前記前枠の左右方向中央に配置され、前記第１レンズ部材とは異なる第２レンズ部材により覆われており、
前記球貸し報知手段は、前記前枠の前記窓口の周囲における前記特定遊技状態報知手段の下側であって、遊技球を貸し出すための球貸しユニットが並設されている側の側方に配置されており、
前記賞球報知手段と前記球貸し報知手段とは別々のレンズ部材により覆われており、前記球貸し報知手段は、前記第１レンズ部材により覆われていることを特徴とするパチンコ遊技機。
【請求項３】
前記第１電飾表示部及び第２電飾表示部は、それぞれ前記前枠に取り付けられるランプ基板と該ランプ基板に実装される光源とにより構成されている請求項１又は請求項２に記載のパチンコ遊技機。
【発明の詳細な説明】
【０００１】
【発明の属する技術分野】
本発明は、賞球払出し状態を報知するための賞球報知手段と、貸し球払出し状態を報知するための球貸し報知手段とを備えるパチンコ遊技機に関するものである。
【０００２】
【従来の技術】
パチンコ機やアレンジボール機に代表されるこの種の遊技機では、外枠の開口前面に、遊技領域を構成した遊技盤、前枠（ガラス窓ともいう。）、上下の球皿、打球発射装置、裏側の機構セット盤等の多くの遊技用構成部材を設置した中枠が開閉及び着脱可能に取付けられて１台単位とされている。このような遊技機にあって、遊技盤の左上隅部（遊技機を表側から見た場合において）には、賞球及び貸し球の各払出し表示をなすための複数のＬＥＤから構成された賞球兼球貸し報知ランプが配置されている。そして、貸し球が遊技者に払出される際や、例えば、大当たり等に賞球が遊技者に払出される際には、前記賞球兼球貸し報知ランプにおける所定のＬＥＤが点灯又は点滅し、その球払出し状態を遊技者及びホールの係員に報知するようにしていた。
【０００３】
【発明が解決しようとする課題】
ところが、前述した従来の遊技機においては、賞球が払出される場合及び貸し球が払出される場合の何れのときも左上隅部に配置された賞球兼球貸し報知ランプにて報知されるため、前記ランプの点灯又は点滅が、賞球を払出すためなのか、若しくは貸し球を払出すためなのか、ホールの係員及び遊技者には認知しづらいという問題があった。
【０００４】
一方、不正行為により、盤面上は何ら大当たり等の賞球払出し状態ではないにも関わらず、賞球が払出されてしまうことがある。このような場合は、その賞球の払出しに伴い、前記賞球兼球貸し報知ランプが点灯又は点滅するが、同ランプが遊技盤の左上隅部に設けられているため、ホールの係員の目に入りにくく、不正行為が認識されづらいという問題があった。
【０００５】
本発明は上記問題点を解決するためになされたものであり、その第１の目的は、賞球及び貸し球の払出しの区別を容易に行うことができるパチンコ遊技機を提供することにある。又、第２の目的は、賞球の払出し状態が容易に認識できるパチンコ遊技機を提供することにある。
【０００６】
【課題を解決するための手段】
上記問題点を解決するために、請求項１及び請求項２に記載の発明は、機体の外郭をなす外枠と、遊技盤の搭載枠をなすとともに前記外枠に組付けられる中枠と、遊技盤の透視窓を構成する窓口が形成されるとともに前記中枠に組付けられる前枠とを備え、前記前枠に、賞球払出し状態を報知するための賞球報知手段と、貸し球払出し状態を報知するための球貸し報知手段と、大当たり等の特定遊技状態の発生を報知するための特定遊技状態報知手段とを備えてなるパチンコ遊技機において、前記特定遊技状態報知手段は、前記前枠の前記窓口の周囲であって前記前枠の上部左側に配置された第１電飾表示部と、前記前枠の前記窓口の周囲であって前記前枠の上部右側に配置された第２電飾表示部とを備え、前記第１電飾表示部及び第２電飾表示部は、同一の第１レンズ部材により覆われており、前記賞球報知手段は、前記第１電飾表示部及び第２電飾表示部よりも上側であって前記前枠の左右方向中央に配置され、前記第１レンズ部材とは異なる第２レンズ部材により覆われており、前記球貸し報知手段は、前記前枠の前記窓口の周囲における前記特定遊技状態報知手段の下側であって、遊技球を貸し出すための球貸しユニットが並設されている側の側方に配置されている。
【０００７】
とくに、請求項１に記載の発明は、前記第１レンズ部材は、前記第１電飾表示部及び第２電飾表示部と対応する部位において前方への膨出部を有する２連山形状に形成され、前記第１レンズ部材の膨出部は、前記第２レンズ部材よりも前面側へ膨出していることを要旨とする。
【０００８】
とくに、請求項２に記載の発明は、前記賞球報知手段と前記球貸し報知手段とは別々のレンズ部材により覆われており、前記球貸し報知手段は、前記第１レンズ部材により覆われていることを要旨とする。
【０００９】
請求項３に記載の発明は、請求項１又は請求項２に記載のパチンコ遊技機において、前記第１電飾表示部及び第２電飾表示部は、それぞれ前記前枠に取り付けられるランプ基板と該ランプ基板に実装される光源により構成されていることを要旨とする。
【００１１】
【発明の実施の形態】
（第１実施形態）
以下、本発明を具体化した一実施形態を図１〜図７に従って説明する。なお、以下の説明において、「左」又は「右」は、パチンコ遊技機を表側から見た場合の「左」又は「右」を示すものとする。
【００１２】
本実施形態のパチンコ遊技機（以下、「遊技機」という。）は、その基本的構成の概要として、図１及び図２に略示するように、機体の外郭をなす縦長方形の外枠１１の開口前面側に、各種の遊技用構成部材をセットする縦長方形の中枠１２が開閉及び着脱可能に組付けられている。そして、この中枠１２の前面側に、遊技領域となる遊技盤１３の透視保護窓である前枠１４と、貸し球の払出しを操作するための球貸し操作部１５ａを備えた上球皿１５とが個々の連結支持手段等を利用して共に横開き形態で開閉可能に組み付け整合されている。一方、中枠１２の下部には下球皿１６及び打球発射装置１７等が装着セットされており、また中枠１２の裏側には各種の球経路及び球処理・払出部等を備えた機構セット盤２７がセットされている。なお、図中１８は球貸しシステムに利用されるカードユニットを示す。また、遊技機の搭載枠とされる中枠１２の右縁部には施錠装置２３が設けられており、前記施錠装置２３には、同施錠装置２３の前面側を覆うように枠飾り２３ａが取着されている。
【００１３】
図３に示すように、その正面左側縁の上下部に配置された開閉連結支持具２６にて中枠１２に組付けられる前記前枠１４は、全体が合成樹脂にて形成されている。そして、その基本的な構成をなす枠本体２０は方形箱蓋状に形成されており、枠本体２０の中央部には窓口１９が形成されている。前記窓口１９は遊技盤１３の遊技領域に適した広さのほぼ円形状とされており、その内周囲のリブ２４を奥向き方向に斜状（勾配）に形成して、ゲーム領域全体を好適に見通し得るようになっている。また、枠本体２０の内側（窓口１９裏側）には着脱及び傾動開放可能に組付けセットされるガラス支持用の支持枠（図６及び図７参照）２５が設けられており、同支持枠２５に方形の透明板である板ガラス２１（２枚）が挿入配置されている。この結果、前記前枠１４は全体が１つに取扱い可能なフレームレス透視窓として構成されるとともに、１つの窓部材として容易に取扱い、保管、移送ができるようになっている。
【００１４】
前記枠本体２０の正面右側縁中央には凹部２２が形成されている。前記凹部２２は前記施錠装置２３の枠飾り２３ａが枠本体２０の閉鎖時に嵌合係止する形態とされており、その嵌合係止状態において前記枠飾り２３ａが枠本体２０を施錠前において仮支えするようになっている。そして、前記開閉連結支持具２６と前記施錠装置２３が利用され、中枠１２に対して開閉及び着脱が可能に組付けセットされるようになっている。
【００１５】
図１に示すように、前記枠本体２０における窓口１９の周囲前面側の各部には遊技稼動状態を表示する各電飾表示部３１〜３４が配設されている。詳述すると、窓口１９の周囲には賞球報知手段としての賞球用電飾表示部３１、球貸し報知手段としての貸し球用電飾表示部３２、及び特定遊技状態報知手段としての第１、第２電飾表示部３３，３４が配設されている。
【００１６】
まず、第１及び第２電飾表示部３３，３４について説明すると、第１電飾表示部３３は枠本体２０の上部左側に設けられ、第２電飾表示部３４は枠本体２０の上部右側に設けられている。これら両電飾表示部３３，３４は、例えば大当たり等の特定遊技状態の表示に使用されるものであり、ＬＥＤ３３ａ，３４ａがランプ基板３３ｂ，３４ｂ上に実装され、各ランプ基板３３ｂ，３４ｂが窓口１９の上周囲の左右両側に形成された各設置部にそれぞれ取着されている。
【００１７】
また、前記貸し球用電飾表示部３２は、枠本体２０の上部左側であって、前記第１電飾表示部３３の下方に設けられている。貸し球用電飾表示部３２は貸し球の払出し表示をなすものであり、３個のＬＥＤ３２ａがランプ基板３２ｂ上に実装され、ランプ基板３２ｂが窓口１９の上周囲の左側に形成された設置部に取着されている。
【００１８】
また、図１、図４及び図５に示すように、賞球用電飾表示部３１は枠本体２０（前枠１４）の上部中央位置に設けられている。同賞球用電飾表示部３１には、１５個例の賞球払出し表示をなす３個のＬＥＤ３５ａと、１〜１５個例の賞球払出し表示をなす３個のＬＥＤ３５ｂがランプ基板３６に実装されている。前記ランプ基板３６は窓口１９の上周囲のほぼ中央に形成された設置部３７に取着されている。
【００１９】
そして、図１，図２及び図３に示すように、前記第１，第２電飾表示部３３，３４及び貸し球用電飾表示部３２においては、前記３つの電飾表示部３２，３３，３４に亘って左右対称形態をなすレンズ部材としての大型ランプレンズ３８が着脱交換可能に取着されている。大型ランプレンズ３８は有色（例えば赤色）且つ半透明の合成樹脂にて成形されており、前記左右の第１及び第２電飾表示部３３，３４と対応する部位において前方への膨出部３８ａを有するように２連山形状に形成されている。そして、図６及び図７に示すように、大型ランプレンズ３８は、その裏面側縁に形成された複数のフック３８ｂが枠本体２０に形成された係止穴３９と弾性的に係合することにより、枠本体２０に固定されている。尚、図６、図７では前記フック３８ｂは１つのみ示す。
【００２０】
又、賞球用電飾表示部３１にあっては、図４及び図７に示すように、その設置部３７の前面に亘り小型ランプレンズ４１とベース枠４２とからなるレンズ部材としての小型レンズ部材４３が着脱交換可能に取着されている。前記ベース枠４２は有色（例えば黄色）の合成樹脂にて成形されており、ベース枠４２の中央部には小型ランプレンズ４１を取着セット可能なセット口４２ａが形成されている。前記セット口４２ａの裏面側には同セット口４２ａの周縁に亘って係止段部４２ｂが形成されており、前記ベース枠４２の裏面側縁には複数のフック４２ｃが設けられている。
【００２１】
一方、小型ランプレンズ４１は前方への膨出部４１ａを有すると共に、ベース枠４２のセット口４２ａに対応する大きさに形成されており、有色（例えば黄色）且つ半透明の合成樹脂にて成形されている。また、小型ランプレンズ４１の基端部周縁には、ベース枠４２の係止段部４２ｂに相対するフランジ４１ｂが形成されている。そして、ベース枠４２の係止段部４２ｂと小型ランプレンズ４１のフランジ４１ｂとが係合した状態で、ベース枠４２のフック４２ｃが枠本体２０に形成された係止穴４５に対して弾性的に係合されている。このようにして、小型レンズ部材４３は枠本体２０に固定されている。尚、４４は、機構セット盤２７に備えられて遊技機の遊技内容を統括して制御する主制御基板（図示しない）と、前記各ＬＥＤ３５ａ，３５ｂとを電気的に接続するためのコネクタである。
【００２２】
次に、前記遊技盤１３の遊技領域について説明する。
図１に示すように、遊技盤１３における前面略中央には複数の図柄を表示可能な特別図柄表示装置５１が配置されている。前記特別図柄表示装置５１の下方には、始動入賞口５２が配設されている。そして、前記始動入賞口５２に遊技球が入賞することにより、所定数（例えば１個の入賞に対して５個）の賞球が払出されるとともに、前記特別図柄表示装置５１の図柄が変動するようになっている。
【００２３】
前記始動入賞口５２の下方には、開閉可能な大入賞扉５３ａを備える大入賞口５３が配設されている。同大入賞口５３は、特別図柄表示装置５１の図柄が全て一致した場合に、前記大入賞扉５３ａの開放動作が行われ、遊技球の入賞を許容するとともに、遊技球の入賞に対して所定数（例えば１個の入賞に対して１５個）の賞球を払出すようになっている。尚、前記特別図柄表示装置５１の図柄が一致した際（所謂大当たり遊技時）には、大入賞扉５３ａは、例えば３０秒経過するまで、あるいは１０個の遊技球が大入賞口５０に入るまで開放するようになっており、最大１６回までこれらの動作を繰り返すようになっている。
【００２４】
又、前記大入賞口５０及び特別図柄表示装置１９の両側方には普通入賞口５４が配置されており、遊技球の入賞により所定数（例えば、１個の入賞に対して１２個）の賞球を払出すようになっている。
【００２５】
次に上記のように構成された遊技機の実施状況を説明する。
まず、遊技を行う前、若しくは遊技状態時に、カードユニット１８に対して所定のカードを挿入し、球貸し操作部１５ａが操作されると、同カードの有効金額内における一定額単位に対して所定個数（例えば１００円に対して２５個）の貸し球が上球皿１５に払出される。すると、主制御基板（図示しない）を介して貸し球用電飾表示部３２のランプ基板３２ｂに制御信号が出力され、前枠１４の左上隅部において貸し球用電飾表示部３２のＬＥＤ３２ａが貸し球の払出しが終了するまで点灯する。
【００２６】
一方、遊技状態時において、始動入賞口５２又は普通入賞口５４に遊技球が入賞すると、主制御基板（図示しない）を介して賞球用電飾表示部３１のランプ基板３６に制御信号が出力される。そして、賞球の払出しが終了するまで前枠１４の上部中央位置において３個のＬＥＤ３５ｂが点灯される。
【００２７】
また、特別図柄表示装置５１の図柄が一致し、所謂大当たり状態となって大入賞扉５３ａが開放動作すると、主制御基板（図示しない）を介して第１及び第２電飾表示部３３，３４のランプ基板３３ｂ，３４ｂに制御信号が出力される。そして、大当たり状態が終了し大入賞扉５３ａが閉鎖するまで前枠１４の左右両側においてＬＥＤ３３ａ，３４ａが点灯される。
【００２８】
さらに、大入賞扉５３ａが開放した状態で、大入賞口５３に遊技球が入賞すると、主制御基板（図示しない）を介して賞球用電飾表示部３１のランプ基板３６に制御信号が出力される。そして、賞球の払出しが終了するまで前枠１４の上部中央位置において３個のＬＥＤ３５ｂとともに隣接する３個のＬＥＤ３５ａが点灯される。
【００２９】
このとき、前記貸し球用電飾表示部３２と賞球用電飾表示部３１は互いに所定距離だけ離間して配置されており、貸し球用電飾表示部３２と賞球用電飾表示部３１を覆うランプレンズ３８，４１は異なった色で着色された別部材であるため、払出される遊技球が賞球であるのか貸し球であるのかは、遊技者は勿論のこと店内を巡回するホールの係員にも容易に認識される。さらに、賞球用電飾表示部３１はホールの係員が視認し易い前枠１４の上部中央位置に配置されているため、例えば、前枠１４の側部に設けられている場合と比較して、容易に賞球用電飾表示部３１の点灯報知が確認される。従って、例えば、大当たり状態でないにも関わらず、即ち、第１及び第２電飾表示部３３，３４のＬＥＤ３３ａ，３４ａが点灯していないにも関わらず、不正行為によって、賞球が払出され、賞球用電飾表示部３１の６個のＬＥＤ３５ａ，３５ｂが点灯している際も容易にホールの係員は認知できる。
【００３０】
従って、上記実施形態によれば、以下のような効果を得ることができる。
（１）上記実施形態では、賞球用電飾表示部３１は前枠１４の上部中央位置に配置され、貸し球用電飾表示部３２は前枠１４の左上隅部に配置されており、両電飾表示部は３１，３２は離間して配置されているため、同一場所に賞球及び貸し球の払出しを表示する兼用ランプを配置する従来と異なり、遊技者及びホールの係員は払出される遊技球が賞球又は貸し球かが容易に認識できる。
【００３１】
（２）上記実施形態では、賞球用電飾表示部３１がホールの係員から視認し易い前枠１４の上部中央位置に配置されているため、例えば、前枠１４の下部や側部等に設けられる場合と比較して、確実に賞球用電飾表示部３１のＬＥＤ３５ａ，３５ｂの点灯が認識でき、例えば、大当たり状態ではないにも関わらず、賞球が払出される等の不正行為の発見に大きく寄与する。また、前枠１４の下部や側部等に設けられる場合と比較して、賞球払出しの際の電飾効果も高めることができる。
【００３２】
（３）上記実施形態では、賞球用電飾表示部３１を覆う小型ランプレンズ４１と貸し球用電飾表示部３２を覆う大型ランプレンズ３８はそれぞれ、異なる部材にて形成されており、各ランプレンズ３８，４１はそれぞれ、異なった色で着色樹脂成形されているため、各ＬＥＤ３２ａ，３５ａ，３５ｂの点灯が賞球のためか、貸し球のためかがさらに容易に区別できる。
【００３３】
（４）上記実施形態では、賞球用電飾表示部３１のＬＥＤ３５ａ，３５ｂは払出される賞球の個数に応じて、即ち、大当たり状態の賞球の払出しと、その他の場合における賞球の払出しとで点灯するＬＥＤ３５ａ，３５ｂの個数が異なっていたため、大当たり状態であるか否かを容易に見極めることができるとともに、遊技者に最も利益となる大当たり状態の電飾効果を高めることができる。
【００３４】
（５）上記実施形態では、前枠１４の左右両上側部には大当たり状態の表示用に第１及び第２電飾表示部３３，３４を配置したため、大当たり状態に賞球が払出される際には、賞球用電飾表示部３１に加えて、第１及び第２電飾表示部３３，３４も点灯して報知する。このため、大当たり状態であるか否かをさらに容易に見極めることができるとともに、大当たり状態の電飾効果をより一層高めることができる。
【００３５】
（６）上記実施形態では、賞球用電飾表示部３１、貸し球用電飾表示部３２及び第１，第２電飾表示部３３，３４は枠本体２０に設けられていたため、例えば、商品サイクルの早い遊技盤１３上に設ける場合と異なり、いちいち遊技盤１３の交換の際に各電飾表示部３１〜３４を取り替える必要もなく、電飾表示部３１〜３４に関するコストを低減できる。
【００３６】
（第２実施形態）
本発明の第２実施形態を図８に基づいて説明する。
尚、第２実施形態においては、既に説明した実施形態の構成と同一構成又は相当する構成については、同一番号を付しその重複説明を省略する。
【００３７】
本実施形態における前枠１４は金属製の金枠として用いられ、中枠１２の前部に対して遊技盤１３をセットする設置口よりも僅かに大きいセット面域に装着されている。また、前枠１４の窓口１９は方形状に形成されており、前枠１４の上方及び左右両側方における前記中枠１２の周縁部は表側から視認可能とされている。
【００３８】
このような遊技機において、貸し球の払出し表示をなす貸し球用電飾表示部３２は遊技盤１３の左上隅部に設けられている。そして、貸し球用電飾表示部３２は第１ランプレンズ４６にて覆われている。一方、賞球払出し表示をなす賞球用電飾表示部３１は、中枠１２の上部中央位置に配置されており、同賞球用電飾表示部３１は第２ランプレンズ４７にて覆われている。また、大当たり等の特定遊技状態の表示をなす第１及び第２電飾表示部３３，３４は、前記賞球用電飾表示部３１を挟むように、中枠１２の左右両上側部に設けられている。即ち、本実施形態においては、第１及び第２電飾表示部３３，３４は貸し球用電飾表示部３２から離間して配置されている。そして、第１及び第２電飾表示部３３，３４は、それぞれ第３ランプレンズ４８にて覆われている。尚、前記第１〜第３ランプレンズ４６〜４８はそれぞれ異なる色で着色された半透明の合成樹脂にて成形されている。また、本実施形態では前記第１及〜第３ランプレンズ４６〜４８がレンズ部材に相当する。
【００３９】
従って、本実施形態によれば、前記第１実施形態における（４）に記載の効果に加えて、以下のような効果を得ることができる。
（７）上記第２実施形態では、賞球用電飾表示部３１は中枠１２の上部中央位置に設けられ、貸し球用電飾表示部３２は遊技盤１３の左上隅部に設けられたため、第１実施形態の（１）及び（２）の効果と同様の効果を奏する。
【００４０】
（８）上記第２実施形態では、賞球用電飾表示部３１を覆う第２ランプレンズ４７と、貸し球用電飾表示部３２を覆う第１ランプレンズ４６と、第１及び第２電飾表示部３３，３４を覆う第３ランプレンズ４８とはそれぞれ別部材にて形成されていたため、各電飾表示部３１〜３４を容易に区別できる。
【００４１】
（９）上記第２実施形態では、中枠１２における賞球用電飾表示部３１の両側には大当たり状態の表示用に第１及び第２電飾表示部３３，３４を設けたため、第１実施形態の（５）の効果と同様の効果を奏するとともに、前記第１及び第２電飾表示部３３，３４は賞球用電飾表示部３１に近接した位置であり、且つ球用電飾表示部３２から離間した位置に配置されているため、より明確に賞球の払出し状態と貸し球の払出し状態を区別できる。
【００４２】
（１０）上記第２実施形態では、賞球用電飾表示部３１、及び第１，第２電飾表示部３３，３４を中枠１２に設けたため、遊技盤１３の交換の際に、前記各電飾表示部３１，３３，３４を取り替える必要なく、貸し球用電飾表示部３２だけ、遊技盤１３と共に取り替えればよいだけなので、前記各電飾表示部３１，３３，３４を遊技盤１３に設ける場合と比較して、電飾表示部３１，３３，３４に関するコストを低減できる。
【００４３】
なお、上記各実施形態は以下のような別例に変更して具体化してもよい。
・上記第１及び第２実施形態では、賞球用電飾表示部３１を前枠１４又は中枠１２の上部中央位置に設けたが、中央位置に限定することなく、貸し球用電飾表示部３２から所定距離離間させた上で、例えば、左又は右上側部に配置させてもよい。
【００４４】
・上記第１及び第２実施形態では、第１及び第２電飾表示部３３，３４は大当たり状態のときに点灯するようにされていたが、例えば、時間短縮モード時や確率変動時にも点灯するようにしてもよい。さらに、第３種の遊技機を使用した場合は勿論権利発生時に点灯するようにしてもよい。この場合、前記時間短縮モード時、確率変動時及び権利発生時も特別遊技状態に相当する。
【００４５】
・上記第１及び第２実施形態では、賞球用電飾表示部３１及び貸し球用電飾表示部３２の賞球又は貸し球の払出し報知動作、及び第１及び第２電飾表示部３３，３４における大当たり状態の報知動作はＬＥＤ３２ａ〜３４ａ，３５ａ，３５ｂの点灯により行われたが、前記ＬＥＤ３２ａ〜３４ａ，３５ａ，３５ｂを点滅させてもよい。また、各電飾表示部３１〜３４に対して点滅と点灯を組み合わせてもよい。
【００４６】
・上記第２実施形態では、貸し球用電飾表示部３２を遊技盤１３上に設けたが、中枠１２の左上隅部に設けてもよい。このようにすれば、貸し球用電飾表示部３２についても、遊技盤１３を取り替える際に、共に取り替える必要がなくなり、コストの低減を図ることができる。
【００４７】
・上記第１実施形態では、賞球用電飾表示部３１と貸し球用電飾表示部３２はそれぞれ異なるランプレンズ３８，４１にて覆われていたが、両電飾表示部３１を大型ランプレンズ３８のみで覆ってもよい。また、上記第２実施形態においても、横並びに配置された第１及び第２電飾表示部３３，３４と賞球用電飾表示部３１を１つのランプレンズで覆ってもよい。
【００４８】
さらに、上記第１及び第２実施形態では、各ランプレンズ３８，４１，４６〜４８は異なる色で着色されていたが、同色でもよい。
・上記第１及び第２実施形態では、各電飾表示部３１〜３４の光源にＬＥＤ３２ａ〜３４ａ，３５ａ，３５ｂを用いたが、例えば、キセノン管等のランプを用いてもよい。
【００４９】
・上記第１及び第２実施形態では、貸し球用電飾表示部３２の光源であるＬＥＤ３２ａは３個設けられていたが、３個に限定することはなく、２個や１個でもよい。
【００５０】
また、賞球用電飾表示部３１の光源であるＬＥＤ３５ａ，３５ｂは６個設けられていたが、６個に限定することはなく、６個より多くても少なくてもよい。さらに、前記ＬＥＤ３５ａ，３５ｂは賞球個数に応じた電飾形態を取っていたが、賞球の個数に関係なく、全てが点灯するようにしてもよい。
【００５１】
【発明の効果】
以上詳述したように、各請求項の発明によれば、賞球又は貸し球の払出しの区別を容易に行うことができる。
【００５２】
また、賞球報知手段が前枠の上部であって左右方向中央位置というパチンコ遊技機の正面側からホールの係員が視認し易い位置に配置されているため、賞球の払出し状態が容易に認識できると共に、前枠に設けた賞球報知手段、球貸し報知手段及び特定遊技状態報知手段は、例えば、遊技領域となる遊技盤上に設ける場合と異なり、同遊技盤が交換される際に共に取替える必要がないため、前記両報知手段に関するコストを低減できる。
【００５３】
さらに、賞球報知手段と特定遊技状態報知手段とが別々のレンズ部材により覆われているため、これら報知手段が認識し易くなる。
【００５４】
さらに、特別遊技状態において賞球が払出される際には、賞球報知手段に加えて、特別状態報知手段によっても報知されるため、その電飾効果が増すとともに、特別遊技状態における賞球の払出し状態がさらに容易に認識できる。
【図面の簡単な説明】
【図１】本発明の第１実施形態に係るパチンコ遊技機を示す正面図。
【図２】同じく前枠を開放した状態を示す平面図。
【図３】同じく前枠を示す斜視図。
【図４】同じく賞球用電飾表示部及び賞球用のレンズ部材を示す分解斜視図。
【図５】同じく賞球用電飾表示部及び賞球用のレンズ部材を示す要部正面図。
【図６】同じく賞球用電飾表示部及び賞球用のレンズ部材を示す要部断面図。
【図７】同じく賞球用電飾表示部及び賞球用のレンズ部材の組付け状態を示す要部分解断面図。
【図８】本発明の第２実施形態に係るパチンコ遊技機を示す正面図。
【符号の説明】
１２…中枠、１４…前枠、３１…賞球用電飾表示部（賞球報知手段）、３２…貸し球用電飾表示部（球貸し報知手段）、３３…第１電飾表示部（特定遊技状態報知手段）、３４…第２電飾表示部（特定遊技状態報知手段）、３８…大型ランプレンズ（レンズ部材）、４３…小型レンズ部材（レンズ部材）、４６…第１ランプレンズ（レンズ部材）、４７…第２ランプレンズ（レンズ部材）、４８…第３ランプレンズ（レンズ部材）。
【図１】
0004558897.tif 000002
【図２】
0004558897.tif 000003
【図３】
0004558897.tif 000004
【図４】
0004558897.tif 000005
【図５】
0004558897.tif 000006
【図６】
0004558897.tif 000007
【図７】
0004558897.tif 000008
【図８】
0004558897.tif 000009